(57)【特許請求の範囲】
【請求項１】
移動端末の周囲に存在するポップアップ情報表示対象に関する情報をポップアップ情報として画面表示するポップアップ情報機能付き移動端末であって、
カメラと、前記カメラで捉えた背景映像を連続的に表示する画面と、前記移動端末の現在位置情報を取得するＧＰＳアンテナと、前記カメラが正対する方位を取得する地磁気センサと、
前記移動端末から、どれだけ離れた前記ポップアップ情報表示対象までの前記ポップアップ情報を前記画面に表示させるかを設定する取得範囲及び、前記カメラが正対する方位からの差を角度で設定するオフセットを設定する表示設定情報と、
前記移動端末に表示する複数の前記ポップアップ情報表示対象の位置及び、その位置に関する諸情報をポップアップ情報として保存したポップアップ情報ファイルと、
前記移動端末の現在位置を取得し、前記カメラが正対する方位を取得し、前記カメラの視野角を取得する基本情報取得部と、
前記移動端末の前記現在位置を元に、前記移動端末から前記取得範囲以内に存在する前記ポップアップ情報表示対象に関する前記ポップアップ情報を、前記ポップアップ情報ファイルから取得するポップアップ情報取得部と、
前記ポップアップ情報取得部により取得した前記ポップアップ情報から、
前記移動端末から見て前記方位から前記オフセットで設定された角度の範囲内に存在する前記ポップアップ情報表示対象に関する前記ポップアップ情報のグループＢ１と、
前記移動端末から見て前記方位から前記オフセットで設定された角度の範囲外、かつ、前記視野角の範囲内に存在する前記ポップアップ情報表示対象に関する前記ポップアップ情報のグループＢ２とを仕分けるポップアップ情報仕分部と、
前記グループＢ１及び前記グループＢ２に属する前記ポップアップ情報を前記画面に表示するポップアップ情報表示部とを備え、
前記グループＢ２に属する前記ポップアップ情報の表示情報量は、前記グループＢ１に属する前記ポップアップ情報の表示情報量より少ないポップアップ情報機能付き移動端末。
【請求項２】
前記ポップアップ情報表示部は、
前記画面上、横方向において、前記移動端末から前記ポップアップ情報表示対象を見た方位と一致する位置に前記ポップアップ情報を表示する請求項１に記載のポップアップ情報機能付き移動端末。
【請求項３】
複数の前記ポップアップ情報が前記画面上で重なる場合は、前記移動端末から近い方を前記画面の下側に表示する請求項２に記載のポップアップ情報機能付き移動端末。
【請求項４】
前記グループＢ２に属する前記ポップアップ情報は、アイコンで表示する請求項１から請求項３のいずれか１項に記載のポップアップ情報機能付き移動端末。
【請求項５】
前記表示設定情報を編集する表示設定部を備えた請求項１から請求項４のいずれか１項に記載のポップアップ情報機能付き移動端末。
【請求項６】
前記ポップアップ情報表示部は、前記ポップアップ情報の表示色を、前記移動端末から前記ポップアップ情報表示対象までの距離に応じて変更する請求項１から請求項５のいずれか１項に記載のポップアップ情報機能付き移動端末。
【請求項７】
前記ポップアップ情報表示部は、前記ポップアップ情報に併せて、前記ポップアップ情報表示対象までの距離を表示する請求項１から請求項６のいずれか１項に記載のポップアップ情報機能付き移動端末。
【請求項８】
請求項１から請求項７のいずれか１項に記載のポップアップ情報機能付き移動端末と、
前記移動端末に備えた通信用のアンテナと、
前記移動端末とネットワークを介して接続されたサーバとからなり、
前記サーバは、前記移動端末の前記ポップアップ情報取得部と同機能を有するサーバポップアップ情報取得部と、前記移動端末の前記ポップアップ情報ファイルと同構成を有するサーバポップアップ情報ファイルと、前記サーバポップアップ情報ファイルにデータを追加、編集、削除するポップアップ情報登録部とを備え、
前記移動端末は、前記画面に表示すべき前記ポップアップ情報を前記サーバから取得するポップアップ情報システム。
【発明の詳細な説明】
【技術分野】
【０００１】
この発明は、ポップアップ情報機能付き移動端末及び、ポップアップ情報システムに関するものである。
【背景技術】
【０００２】
従来、移動体の位置を元に、近隣に存在する情報をポップアップ情報として表示する技術が提案されている（例えば、特許文献１参照）。特許文献１のシステムでは、カーナビゲーションシステムにおける利用を目的として、車両の周辺に存在する観光情報等を画面上に、地図と重ねてポップアップ表示する。
【先行技術文献】
【特許文献】
【０００３】
【特許文献１】特開２００９−０６８８６６号公報
【発明の概要】
【発明が解決しようとする課題】
【０００４】
特許文献１に記載する観光情報表示装置では、データベース等に登録されているポップアップ情報の位置情報と、移動体の現在地、移動経路とに基づいて、移動体の画面に表示する地図と重ねてポップアップ情報の表示を行う。そして、各ポップアップ情報の表示、非表示の判断は、移動体からの距離や、表示するポップアップの数により制限できる。
【０００５】
しかし、狭い範囲に表示すべきポップアップ情報が大量に登録されている場合は、多数の表示がオーバラップして、ユーザが本当に欲しい情報が画面上で判別できなくなり、表示数を制限すると、今度はユーザにとって必要なポップアップ情報が画面に表示されないという課題があった。
【０００６】
この発明は、上記のような課題を解決するためになされたものであり、移動端末の周囲にポップアップ情報を表示すべき対象が大量に存在する場合でも、簡単な設定でポップアップ情報の表示の重複を避け、ユーザによる情報の見落としを防ぐことができるポップアップ情報機能付き移動端末及び、ポップアップ情報システムを提供することを目的とする。
【課題を解決するための手段】
【０００７】
この発明に係る、ポップアップ情報機能付き移動端末は、
移動端末の周囲に存在するポップアップ情報表示対象に関する情報をポップアップ情報として画面表示するポップアップ情報機能付き移動端末であって、
カメラと、前記カメラで捉えた背景映像を連続的に表示する画面と、前記移動端末の現在位置情報を取得するＧＰＳアンテナと、前記カメラが正対する方位を取得する地磁気センサと、
前記移動端末から、どれだけ離れた前記ポップアップ情報表示対象までの前記ポップアップ情報を前記画面に表示させるかを設定する取得範囲及び、前記カメラが正対する方位からの差を角度で設定するオフセットを設定する表示設定情報と、
前記移動端末に表示する複数の前記ポップアップ情報表示対象の位置及び、その位置に関する諸情報をポップアップ情報として保存したポップアップ情報ファイルと、
前記移動端末の現在位置を取得し、前記カメラが正対する方位を取得し、前記カメラの視野角を取得する基本情報取得部と、
前記移動端末の前記現在位置を元に、前記移動端末から前記取得範囲以内に存在する前記ポップアップ情報表示対象に関する前記ポップアップ情報を、前記ポップアップ情報ファイルから取得するポップアップ情報取得部と、
前記ポップアップ情報取得部により取得した前記ポップアップ情報から、
前記移動端末から見て前記方位から前記オフセットで設定された角度の範囲内に存在する前記ポップアップ情報表示対象に関する前記ポップアップ情報のグループＢ１と、
前記移動端末から見て前記方位から前記オフセットで設定された角度の範囲外、かつ、前記視野角の範囲内に存在する前記ポップアップ情報表示対象に関する前記ポップアップ情報のグループＢ２とを仕分けるポップアップ情報仕分部と、
前記グループＢ１及び前記グループＢ２に属する前記ポップアップ情報を前記画面に表示するポップアップ情報表示部とを備え、
前記グループＢ２に属する前記ポップアップ情報の表示情報量は、前記グループＢ１に属する前記ポップアップ情報の表示情報量より少ないものである。
【０００８】
この発明に係る、ポップアップ情報システムは、
前記ポップアップ情報機能付き移動端末と、
前記移動端末に備えた通信用のアンテナと、
前記移動端末とネットワークを介して接続されたサーバとからなり、
前記サーバは、前記移動端末の前記ポップアップ情報取得部と同機能を有するサーバポップアップ情報取得部と、前記移動端末の前記ポップアップ情報ファイルと同構成を有するサーバポップアップ情報ファイルと、前記サーバポップアップ情報ファイルにデータを追加、編集、削除するポップアップ情報登録部とを備え、
前記移動端末は、前記画面に表示すべき前記ポップアップ情報を前記サーバから取得するものである。
【発明の効果】
【０００９】
この発明に係る、ポップアップ情報機能付き移動端末及び、ポップアップ情報システムは、上記のように構成されたものなので、移動端末の周囲にポップアップ情報を有するポップアップ情報表示対象が大量に存在する場合でも、多数のポップアップ情報が画面上で重なり合って、欲しい情報を見逃してしまうことを防止できる。
【図面の簡単な説明】
【００１０】
【図１】この発明の実施の形態１に係るポップアップ情報機能付き移動端末の構成を示す図である。
【図２】この発明の実施の形態１に係る移動端末の画面に映し出された背景映像にオーバラップさせて表示されたポップアップ情報を示す図である。
【図３】この発明の実施の形態１に係る移動端末と、ポップアップ情報表示対象との位置関係を示す図である。
【図４】この発明の実施の形態１に係る表示設定情報の構成を示す図である。
【図５】この発明の実施の形態１に係るポップアップ情報ファイルの１レコード構成を示す図である。
【図６】この発明の実施の形態１に係る移動端末のポップアップ情報の表示フローを示す図である。
【図７】この発明の実施の形態２に係るポップアップ情報システムの構成を示す図である。
【発明を実施するための形態】
【００１１】
実施の形態１．
以下、本発明の実施の形態１に係るポップアップ情報機能付き移動端末を、図を用いて説明する。
図１は、この発明の実施の形態１に係るポップアップ情報機能付き移動端末１０の構成を示す図である。
図２は、移動端末１０の画面１０ｄに映し出された背景映像にオーバラップさせて表示されたポップアップ情報を示す図である。
図３は、移動端末１０と、ポップアップ情報表示対象Ｐ１〜Ｐ６との位置関係を示す図である。
【００１２】
移動端末１０は、ハードウェア構成として、カメラ１０ｃと、カメラ１０ｃで捉えた背景映像を連続的に表示する画面１０ｄと、移動端末１０の位置情報をＧＰＳ衛星から取得するＧＰＳセンサ１０ｇと、カメラ１０ｃが正対する方位を取得する地磁気センサ１０Ｔとを備える。
【００１３】
移動端末１０は、移動端末利用者１９が携帯する。移動端末１０の画面１０ｄ上には、カメラ１０ｃによって捉えられた背景映像にオーバラップさせて、当該背景映像中の特定の位置に存在するポップアップ情報表示対象ＰＮ（例えば、配電盤等の具体的な設置物）に関する情報を表示する。移動端末利用者１９が、移動端末１０（カメラ１０ｃ）をパンすると、背景映像もオーバラップ表示されているポップアップ情報ＪＮもリアルタイムに変化する。
【００１４】
移動端末１０は、データとして、表示設定情報１４とポップアップ情報ファイル１５とを備える。表示設定情報１４は、カメラ１０ｃで捉えた背景映像にオーバラップさせて、画面１０ｄに表示させるポップアップ情報の表示内容を設定するために用いるデータである。また、ポップアップ情報ファイル１５は、移動端末１０に表示すべきポップアップ情報表示対象ＰＮの位置及び、その位置に関する諸情報を１レコードとして、これを複数レコード保存したファイルである。
【００１５】
また、移動端末１０は、表示設定部１３と、基本情報取得部１６と、ポップアップ情報取得部１２と、ポップアップ情報仕分部１７と、ポップアップ情報表示部１１とを備える。表示設定部１３は、表示設定情報１４を編集する機能を有する。基本情報取得部１６は、ＧＰＳセンサ１０ｇから移動端末１０の現在位置を取得したり、地磁気センサ１０Ｔを用いて、カメラ１０ｃが正対する方位を取得したり、カメラ１０ｃの視野角を取得する機能を有する。ポップアップ情報取得部１２は、移動端末１０の現在位置情報を元に、表示設定情報１４に設定された諸条件に合致するポップアップ情報ＪＮをポップアップ情報ファイル１５から取得する機能を有する。ポップアップ情報仕分部１７は、ポップアップ情報取得部１２が取得したポップアップ情報ＪＮをグループに仕分ける機能を有し、ポップアップ情報表示部１１は、ポップアップ情報仕分部１７により仕分けられた各グループのポップアップ情報ＪＮを、画面１０ｄの所定の位置に所定の構成で表示する機能を有する。
【００１６】
図４は、表示設定情報１４の構成を示す図である。
移動端末利用者１９は、表示設定部１３を用いて、表示設定情報１４を設定する。取得範囲３１は、移動端末１０から、どれだけ離れたポップアップ情報表示対象ＰＮまでのポップアップ情報ＪＮを画面表示させるかを設定する項目である。１００ｍと設定すると、移動端末利用者１９の現在地から１００ｍの範囲にあるポップアップ情報表示対象ＰＮについてのポップアップ情報ＪＮが画面表示の対象となる。
【００１７】
端末ユーザ区分３２は、移動端末利用者１９の所属を示す項目である。例えば、点検者、管理者等が考えられる。ユーザ区分を利用して、表示制限を設けることも可能である。
【００１８】
オフセット３５は、カメラ１０ｃが正対する方位から差を度数で設定する。オフセット３５に「１０度」と設定すると、カメラ１０ｃが正対している方位＋−１０度の範囲にある、図３に示すポップアップ情報表示対象Ｐ１、２に対応する図２に示すポップアップ情報Ｊ１、Ｊ２のみが、名称４３、値４４等の内容の表示対象となる。背景画面に映っていて、かつ、取得範囲３１内に存在するが、方位Ｑからオフセット３５の範囲内に無いポップアップ情報表示対象Ｐ３、Ｐ４のポップアップ情報Ｊ３、Ｊ４は、アイコンのみで表示される。
【００１９】
図５は、ポップアップ情報ファイル１５の１レコード（ポップアップ情報表示対象ＰＮにつき１レコード）の構成を示す図である。設定店所ＩＤ４１は、ポップアップＩＤ４２を登録した店所のＩＤを登録する項目である。ポップアップＩＤ４２は、ポップアップ情報ＪＮを識別するＩＤである。ポップアップＩＤ４２がユニークな値であれば、設定店所ＩＤ４１は無くても良い。
【００２０】
名称４３は、ポップアップＩＤ４２に対する名称を登録する項目である。値４４は、ポップアップ情報ＪＮとして表示すべき内容を登録する項目である。ユーザ区分４５は、ポップアップ情報ＪＮを表示すべき移動端末１０のユーザ区分を登録する。例えば、「点検者」と登録されている場合は、当該ポップアップ情報ＪＮは、「点検者」が保持している移動端末１０にのみ表示されることになる。
【００２１】
緯度４６は、ポップアップＩＤ４２に対応するポップアップ情報表示対象ＰＮが存在する緯度を登録する項目である。経度４７は、ポップアップＩＤ４２に対応するポップアップ情報表示対象ＰＮが存在する経度を登録する項目である。アイコン４８は、移動端末１０の画面１０ｄ上に当該ポップアップ情報ＪＮとしてアイコンだけを表示する場合に利用するアイコンの種類を登録する項目である。
【００２２】
次に、移動端末１０の画面に、カメラ１０ｃにより捉えられた背景映像に、ポップアップ情報ＪＮをオーバラップさせて画面１０ｄに表示する手順に付いて説明する。
図６は、移動端末１０のポップアップ情報ＪＮの表示フローを示す図である。
【００２３】
まず、基本情報取得部１６を用いて、ＧＰＳセンサ１０ｇから移動端末１０の現在の位置を取得し、地磁気センサ１０Ｔから、カメラ１０ｃのレンズが正対する方位Ｑを取得し、カメラ１０ｃからカメラ１０ｃの現在の視野角Ｓを取得する（Ｓ００１）。次に、ポップアップ情報取得部１２により、表示設定情報１４の取得範囲３１に記載された範囲内に存在するポップアップ情報表示対象ＰＮのポップアップ情報ＪＮを取得する（Ｓ００２）。具体的には、ポップアップ情報ファイル１５の中から、移動端末１０の位置から取得範囲３１に設定された距離内にあり、かつ、表示設定情報１４の端末ユーザ区分３２と、ユーザ区分４５が一致するポップアップ情報ＪＮ（グループＡ）を取得する。
【００２４】
なお、各ポップアップ情報表示対象ＰＮの位置は、ポップアップ情報ファイル１５に設定した緯度４６と経度４７から分かる。移動端末１０の位置と、各ポップアップ情報表示対象ＰＮとの位置から、移動端末１０の位置から各ポップアップ情報表示対象ＰＮまでの距離が算出できる。したがって、図３の例では、ポップアップ情報表示対象Ｐ５以外のポップアップ情報表示対象Ｐ１〜Ｐ４、Ｐ６に対応するポップアップ情報Ｊ１〜Ｊ４、Ｊ６が取得されることになる。また、移動端末１０の位置と、各ポップアップ情報表示対象ＰＮとの位置から、移動端末１０の位置から見た、各ポップアップ情報表示対象ＰＮの方位が算出できる。
【００２５】
次に、取得されたポップアップ情報（グループＡ）の中から、ポップアップ情報仕分部１７により、現在の視野角Ｓ内に存在するポップアップ情報表示対象ＰＮのポップアップ情報ＪＮ（グループＢ）を抽出し（Ｓ００３）、更に、グループＢのポップアップ情報ＪＮを、次のグループＢ１とグループＢ２の２グループに仕分ける（Ｓ００４）。グループＢ１は、移動端末１０から見て、カメラ１０ｃが向いている方位Ｑから、プラスマイナス、オフセット３５に設定された角度の範囲内に存在するポップアップ情報表示対象ＰＮに関するポップアップ情報ＪＮを集めたグループである。グループＢ２は、それ以外のポップアップ情報表示対象ＰＮに関するポップアップ情報ＪＮを集めたグループである。図２、図３では、ポップアップ情報Ｊ１、Ｊ２がグループＢ１に属し、ポップアップ情報Ｊ３、Ｊ４がグループＢ２に属し、ポップアップ情報Ｊ６は、グループＡに属するが、グループＢ１、Ｂ２には属しない。
【００２６】
次に、ポップアップ情報表示部１１により、グループＢ１、グループＢ２に属するポップアップ情報ＪＮを画面１０ｄに表示されている背景映像にオーバラップさせて表示する。図２に示すように、画面１０ｄの左右方向の中央が方位Ｑである。画面の横幅が視野角Ｓに対応する。よって、画面１０ｄには、方位Ｑを中央として、左右に視野角Ｓの範囲の背景映像が映っている。グループＢ１に該当するポップアップ情報ＪＮは、「ポップアップＩＤ」、「名称」、「値」の項目を表示する。表示位置は、横方向には、ポップアップ情報ＪＮを表示する枠Ｗの横方向の中央位置が、画面１０ｄ上における、移動端末１０から当該ポップアップ情報表示対象ＰＮを見た方位と一致する位置とする。
【００２７】
縦方向の位置は、画面下部とする。複数のポップアップ情報ＪＮの枠Ｗが重複する場合は、移動端末１０からの距離が近いポップアップ情報表示対象ＰＮのポップアップ情報ＪＮが画面下側となるように表示する（図２では、ポップアップ情報Ｊ１がポップアップ情報Ｊ２より上に表示されている）。
【００２８】
グループＢ２に属するポップアップ情報ＪＮ（図２では、ポップアップ情報Ｊ３、Ｊ４）は、アイコンのみを表示する。使用するアイコン４８は、アイコンファイル１８から取得する。アイコン４８の表示位置は、グループＢ１と基本的に同じである。
【００２９】
上述のように、移動端末１０の位置から各ポップアップ情報表示対象ＰＮまでの距離は算出できる。画面表示する各ポップアップ情報ＪＮに、各ポップアップ情報表示対象ＰＮまでの距離を併せて表示することも可能である。
【００３０】
この発明の実施の形態１に係るポップアップ情報機能付き移動端末１０によれば、移動端末１０の画面１０ｄの中央（方位Ｑ）から、オフセット３５で指定した角度内に位置し、かつ、移動端末１０の現在の位置から取得範囲３１で指定した距離以内にあるポップアップ情報表示対象ＰＮに対応するポップアップ情報ＪＮは詳細に表示し、オフセット３５で指定した角度外に位置し、かつ、移動端末１０の現在の位置から取得範囲３１で指定した距離以内にあるその他のポップアップ情報表示対象ＰＮに対応するポップアップ情報ＪＮは、アイコンだけで表示する。したがって、移動端末１０の周囲にポップアップ情報ＪＮを有するポップアップ情報表示対象ＰＮが大量に存在する場合でも、多数のポップアップ情報ＪＮが画面１０ｄ上で重なり合って、欲しい情報を見逃してしまうことを防止できる。
【００３１】
また、オフセット３５、取得範囲３１を簡単に変更できるので、ポップアップ情報表示対象ＰＮの密度に合わせて、最適な画面構成を得ることができる。
【００３２】
また、ユーザが移動端末１０の向きを変えれば、その時のカメラ１０ｃが正対する方位を中心としてオフセット３５で指定した角度以内に存在するポップアップ情報ＪＮの内容を詳細に表示できるので、まず、アイコンを目当てに既知のポップアップ情報表示対象ＰＮを探し出し、次に、当該アイコンが画面１０ｄの中央寄りに表示されるようにカメラ１０ｃを向けるだけで、容易に詳細なポップアップ情報ＪＮにアクセスできる。
【００３３】
なお、本実施の形態では、複数のポップアップ情報表示対象ＰＮに対するそれぞれのポップアップ情報ＪＮをフル表示する場合に、移動端末１０からの位置が近いものを下側としたが、上下にはランダムに表示し、移動端末１０からポップアップ情報表示対象ＰＮまでの距離を計算して表示してもよい。
【００３４】
更に、ポップアップＩＤ４２等の文字、又は枠ＷをＭ段階に色分けして表示するように設定しておけば、取得範囲３１の値をＭで割ることにより、ポップアップ情報表示対象ＰＮまでのおおよその距離が分かるようすることもできる。
【００３５】
また、本実施の形態では、グループＢ２に属するポップアップ情報ＪＮは、アイコン表示としたが、グループＢ２に属するポップアップ情報ＪＮの方が、グループＢ１に属するポップアップ情報ＪＮより表示される情報量が少なければ、例えば、名称だけを表示してもよい。
【００３６】
また、本実施の形態ではオフセット３５として角度を設定したが、画面１０ｄの横方向中央が方位Ｑを向き、画面全体の視野角Ｓは分かっているので、画面中央から、横方向に所定の範囲を表すオフセット３５を「長さ」で指定することも可能である。オフセット３５の値を画面１０ｄの横幅で除し、さらに視野角Ｓを乗ずることにより、オフセット３５について上述した「角度」を得ることができるからである。
【００３７】
実施の形態２．
以下、本発明の実施の形態２に係る、ポップアップ情報システム２００を図を用いて実施の形態１と異なる部分を中心に説明する。
図７は、ポップアップ情報システム２００の構成を示す図である。ポップアップ情報システム２００は、移動端末２１０と、ネットワーク４を介して接続可能なサーバ２０とからなる。移動端末２１０は、実施の形態１で説明した移動端末１０に、ネットワーク４に接続するためのアンテナ１０ａを備えたものである。サーバ２０は、サーバ管理者２９が操作する。
【００３８】
サーバ２０は、移動端末１０のポップアップ情報取得部１２と同等の機能を有するサーバポップアップ情報取得部２２と、移動端末１０のポップアップ情報ファイル１５と同等の内容を有するサーバポップアップ情報ファイル２５と、サーバポップアップ情報ファイル２５にデータを追加、編集、削除するポップアップ情報登録部２３とを備える。
【００３９】
本実施の形態では、移動端末２１０のポップアップ情報取得部２１２は、サーバポップアップ情報取得部２２にデータの取得を依頼する。そして、ポップアップ情報仕分部２１７、ポップアップ情報表示部２１１は、サーバ２０のサーバポップアップ情報ファイル２５のデータを利用して移動端末２１０の画面１０ｄに表示するポップアップ情報を仕分け、表示する。その他については、実施の形態１と同じである。
【００４０】
なお、移動端末２１０とサーバ２０との通信ができない場合は、移動端末２１０内にキャッシュしておいたポップアップ情報ファイル２１５から必要なデータを取得する。
【００４１】
この発明の実施の形態２に係るポップアップ情報システムによれば、実施の形態１に係るポップアップ情報機能付き移動端末と同様の効果の他に、サーバポップアップ情報ファイル２５の保守が容易にできる利点がある。
【００４２】
尚、本発明は、その発明の範囲内において、各実施の形態を自由に組み合わせたり、各実施の形態を適宜、変形、省略することが可能である。
【符号の説明】
【００４３】
１０，２１０  移動端末、１０Ｔ  地磁気センサ、１０ａ  アンテナ、
１０ｃ  カメラ、１０ｄ  画面、１０ｇ  ＧＰＳセンサ、
１１，２１１  ポップアップ情報表示部、１２，２１２  ポップアップ情報取得部、
１３  表示設定部、１４  表示設定情報、１５  ポップアップ情報ファイル、
１６  基本情報取得部、１７，２１７  ポップアップ情報仕分部、
１９  移動端末利用者、Ｑ  方位、Ｓ  視野角、Ｗ  枠、２０  サーバ、
２２  サーバポップアップ情報取得部、２３  サーバポップアップ情報登録部、
２５  サーバポップアップ情報ファイル、２９  サーバ管理者、３１  取得範囲、
３２  端末ユーザ区分、３５  オフセット、４１  設定店所ＩＤ、
４２  ポップアップＩＤ、４３  名称、４４  値、４５  ユーザ区分、４６  緯度、
４７  経度、４８  アイコン、Ｊ１〜ＪＮ  ポップアップ情報、
Ｐ１〜ＰＮ  ポップアップ情報表示対象、２００  ポップアップ情報システム。
【図１】
0006615053.tif 000002
【図２】
0006615053.tif 000003
【図３】
0006615053.tif 000004
【図４】
0006615053.tif 000005
【図５】
0006615053.tif 000006
【図６】
0006615053.tif 000007
【図７】
0006615053.tif 000008